(57)【要約】【課題】側注装置に備えた受口に注射器の先管を結合するに先立って、予め、清拭具を滅菌封入していた封緘用容器を開封するだけの手間で、忙しい看護師をして手早くしかも清潔にして面倒なく受口の清拭ができるようにした清拭具を提供する。【解決手段】本願清拭具１は、注射器Ｃの先管Ｃ′をすり合わせ結合できるルアテーパ状の受口７を備えた側注装置６を通して側注するに先立って前記受口７を清拭するための清拭具であって、前記受口７に被冠螺合できるキャップ４と、該キャップ４に離脱可能に結合させた液浸透体５とからなる清拭具本体２を封緘用容器３に滅菌封入してなることを特徴とし、封緘用容器３を開放して取り出した本体２のキャップ４を持ち、その液浸透体５に含浸させた清拭液で側注装置６の受口７を清拭後、該受口７に注射器Ｃの先管を結合側注し、しかる後、液浸透体５を離脱させたキャップ４で前記受口７を防塵できるように構成したものである。【選択図】図１
2006320430.tif 000002
【特許請求の範囲】
【請求項１】
注射器の先管をすり合わせ結合できる受口を備えた側注装置を通して側注するに先立って前記受口を清拭するための清拭具であって、前記受口に被冠螺合できるキャップと、該キャップに離脱可能に結合させた液浸透体とからなる清拭具本体を封緘用容器に滅菌封入してなることを特徴とする清拭具。
【請求項２】
前記液浸透体が、前記キャップの頂部内面に形成した管部に結合させるための芯部を突出させてなる液浸透性を有するフェルトからなることを特徴とする請求項１に記載の清拭具。
【請求項３】
前記キャップが、スポイト型の清拭液溜を備えるとともに、該液溜を押し潰したときに収容液を液浸透体へ送り込む連通路を備えていることを特徴とする請求項１又は２に記載の清拭具。
【請求項４】
前記封緘用容器が、プラスチック製袋で、その適所に開封用切り込みを備えたものであることを特徴とする請求項１〜３のうちの１に記載の清拭具。
【発明の詳細な説明】
【技術分野】
【０００１】
本発明は、例えば、体外血液回路の導液チューブ、又は点滴セットの導液チューブなどへ適時施療に必要な薬液などを側注（混注）するための側注装置の受口を清拭（滅菌・消毒等）するための清拭具に関するものである。
【背景技術】
【０００２】
従来、腎不全患者の治療に用いられる体外血液回路の導液チューブや輸血又は輸液セットの導液チューブ等の途中には、その患者の施療に必要な薬液や栄養剤などを適時側注するための側注装置が備えられている。この側注装置には例えば特開平７−３２８１１８号公報のものがある。この側注装置は、図５に示す如く導液チューブ６１の切断端６１′、６１″の接続部６２、６２′を両端に有するハウジング部６３の上面に、注射器Ｃの先管Ｃ′が結合できる受口６４を有している。この受口６４はハウジング部６３内に設置した弁手段６５を介して導液チューブ６１に連通している。ここに示す弁手段６５はハウジング部６３の管内に密着しているゴム管からなり、したがって、受口６４に先管Ｃ′を結合した注射器Ｃからの薬液などの圧（矢印）が掛かると、弁手段６５は二点鎖線の如く変形して流路を開放して側注させる一方、注射器Ｃからの圧が停止すると弁手段６５がゴム弾性の作用により旧形状に復帰して流路を閉じ、導液チューブ６１側からの逆流を阻止するようになっている。
【０００３】
上記側注装置を通して行われる薬液などの側注は、その必要が生じたときに行われるから、その待機中、前記受口６４には通常、キャップ（図示せず）が施され、人の手が直に触れたり、埃塵などが付着しないようにしている。このキャップには、前記受口６４に設けた雄ネジに螺合できる雌ネジが設けられ、締め付けて固定できるようにし、待機中の受口６４の清潔さを保っている。しかるに、上記側注に際して前記受口６４に注射器Ｃの先管Ｃ′を結合するときはこれに先立って必ず受口６４（特に内面）を滅菌・消毒剤による清拭が義務付けられている。
【０００４】
上記側注装置に備えた受口を清拭するには、通常、綿棒のような清拭具が利用されている。すなわち、その清拭具の綿塊部位にアルコール液などの清拭液を含浸させて上記受口を丁寧に拭くことによって滅菌・消毒等をしていた。
【特許文献１】特開平７−３２８１１８号公報
【発明の開示】
【発明が解決しようとする課題】
【０００５】
しかしながら、上記清拭具は常に清潔に保たれていることが院内感染などを防止する上に必要であったが、忙しい看護師にとって上記清拭具を清潔に管理することは物理的に困難であったばかりでなく甚だ面倒な作業であった。
【０００６】
本発明は、上記課題を解消するためのもので、その目的とするところは、上記側注装置に備えた受口に注射器の先管を結合するに先立って、予め、清拭具を滅菌封入していた封緘用容器を開封するだけの手間で、忙しい看護師をして手早くしかも清潔にして面倒なく受口の清拭ができるようにした清拭具を提供する点にある。
【課題を解決するための手段】
【０００７】
上記目的を達成するため、本発明に係る清拭具は、注射器の先管をすり合わせ結合できる受口を備えた側注装置を通して側注するに先立って前記受口を清拭するための清拭具であって、前記受口に被冠螺合できるキャップと、該キャップに離脱可能に結合させた液浸透体とからなる清拭具本体を封緘用容器に滅菌封入してなることを特徴とし、封緘用容器を開放して取り出した本体のキャップを持ち、その液浸透体に含浸させた清拭液で側注装置の受口を清拭後、該受口に注射器の先管を結合側注し、しかる後、液浸透体を離脱させたキャップで受口を防塵できるように構成した。
【０００８】
また、請求項２に記載の発明に係る清拭具は、前記キャップの頂部内面に形成した管部に結合させるための芯部を突出させてなる液浸透性を有するフェルトからなることを特徴とし、受口の清拭に際しその都度アルコールなどの清拭液を浸透させて使用するように構成した。
【０００９】
さらに、請求項３に記載の発明に係る清拭具は、前記キャップが、スポイト型の清拭液溜を備えるとともに該液溜を押し潰したときに収容液を液浸透体へ送り込む連通路を備えていることを特徴とし、受口の清拭に際しその都度スポイトを押すだけで、液溜から連通路を通して液浸透体に送り込んだ清拭液で受口の清拭ができるように構成した。
【００１０】
さらにまた、請求項４に記載の清拭具によれば、前記封緘用容器が、プラスチック製袋で、その適所に開封用切り込みを備えたものであることを特徴とし、清拭具本体を嵩張らずに保管管理でき、しかも、簡単に開封して使用できるように構成した。
【発明の効果】
【００１１】
本発明に係る清拭具によれば、注射器の先管をすり合わせ結合できる受口を備えた側注装置を通して側注するに先立って前記受口を清拭するための清拭具であって、前記受口に被冠螺合できるキャップと、該キャップに離脱可能に結合させた液浸透体とからなる清拭具本体を、封緘用容器に滅菌封入してなることを特徴としているから、封緘用容器を開封し、本体をそのキャップを把持して取り出し、その液浸透体に含浸させた清拭液で、前記側注装置の受口を簡単に清拭することができる。また、かかる清拭後、該受口に注射器の先管を結合し、該注射器の操作により側注を完了させることができるため院内感染などの原因を未然に防止できる。しかも、前記受口は、前記液浸透体を離脱させたキャップにより螺合できるため次の側注まで防塵しておくことができる。したがって、本体を封入した封緘用容器を常に手近に用意しておけば、忙しい看護師をして簡単かつ面倒なくしかも手早く側注装置の受口の清拭作業を行い得るという優れた効果を奏するものである。
【００１２】
また、請求項２に記載の清拭具によれば、前記液浸透体が前記キャップの頂部内面に形成した管部に結合させるための芯部を突出させてなる液浸透性を有するフェルトからなることを特徴としているから、受口の清拭に際しその都度アルコールなどの清拭液を含浸使用するためアルコールなどによる消毒効果をより高め得、しかも、消毒のために使用した後、液浸透体を離脱させたキャップは受口の防塵のために使用できるという優れた効果を奏するものである。
【００１３】
さらに、請求項３に記載の清拭具によれば、前記キャップがスポイト型の清拭液溜を備えるとともに該液溜を押し潰したときに収容液を液浸透体へ送り込む連通路を備えていることを特徴としているから、受口の清拭に際しその都度スポイトを押すだけで、液溜から連通路を通して液浸透体に送り込んだ清拭液で受口の清拭ができるため、清拭作業をより簡易に行えるという優れた効果を奏するものである。
【００１４】
さらにまた、請求項４に記載の清拭具によれば、前記封緘用容器がプラスチック製袋であることを特徴としているから、本体を嵩張らずに保管管理できるため、側注現場や看護師のユニホームのポケットなど手近なところに準備しておくことができ、しかも、簡単に開封して使用できるという優れた効果を奏するものである。
【発明を実施するための最良の形態】
【００１５】
次に、本発明の実施の態様を添付図面に基づいて説明する。図１は本願清拭具の一部切欠斜視図、図２は清拭具本体の断面図で、（ａ）は通常形、（ｂ）は特殊形、図３は清拭具本体の機能を示す断面図で、（ａ）は受口清掃時、（ｂ）は側注時、（ｃ）は防塵時、図４は液浸透体を輪切りにした断面図で、（ａ）は真円、（ｂ）は楕円、（ｃ）は襞状である。
【００１６】
本願清拭具１は、図１の如く、清拭具本体２を封緘用容器３に滅菌封入してなる。清拭具本体２は、図２の如く、キャップ４と、該キャップ４に離脱可能に結合させた液浸透体５とからなる。このキャップ４は、側注装置６の受口７（特に内面）を清拭するためのものである。側注は、図３（ｂ）の如く、注射器（シリンジ）Ｃの先管Ｃ′を側注装置６の受口７にすり合わせ結合して行われる。
【００１７】
前記側注装置６は、体外血液回路や輸血又は輸液セットの導液チューブ８の途中の切断端８′、８″を繋ぐための接続部９、９′と、該接続部９、９′に導通するハウジング部１０を備え、該ハウジング部１０には前記受口７との連通孔１１を有し、内部には弁手段１２を備えている。前記受口７は前記注射器Ｃの先管Ｃ′のルアテーパにすり合わせ結合できるようにルアテーパになっている。
【００１８】
前記弁手段１２としては傘型のものが示されている。この形状の弁手段１２は前記受口７に注射器Ｃの先管Ｃ′をすり合わせ結合した後、該注射器ＣのプランジャＣ″を押し込んで薬液などの圧が掛かると、図３（ｂ）の如く、首部が固定手段１０′により固定されているため傘部が反転するように変形して流路を開き、薬液（矢印）などを導液チューブ８へ導いて側注させる一方、前記注射器Ｃからの圧が解除されると、図３（ａ）の如く、傘部が素材の弾性により旧形状に即座に復帰して導液チューブ８側からの逆流を阻止できるようになっている。勿論、前記弁手段１２は同効のものであれば、図示した形態のものに限らない。
【００１９】
前記清拭具本体２は、図２（ａ）の如く、前記受口７に被冠螺合できるキャップ４の筒部４ａの内周面に受口７の上縁外周に設けた雄ネジ７′に螺合できる雌ネジ４ａ′を有しているとともに、頂部４ｂの内面に前記液浸透体５から突出させた芯部５′を離脱可能に受け入れる管部４ｂ′を有している。勿論、前記筒部４ａと頂部４ｂとは一体成形物でもよい。
【００２０】
前記清拭具本体２は、図２（ｂ）の如く、キャップ４にスポイト型の清拭液溜１３を備えるように構成してもよい。すなわち、前記頂部４ｂの外面にスポイト型の清拭液溜１３を備えるとともに該液溜１３と前記液浸透体５とを連通路１４を介して連通（連通路は一本とは限らない）させてなる。なお、図２（ａ）の通常形の清拭具本体２の場合は、前記受口７の清拭に際して別に用意されているアルコール等の清拭液を液浸透体５に含ませて清拭作業をすることとなるが、図２（ｂ）の特殊形の場合は、前記受口７の清拭に際してスポイトを押し潰すだけで、液溜１３内に収容しているアルコール等の清拭液を前記連通路１４を通して液浸透体５へ供給できるようになる。受口７の清拭は清拭液を浸透させた液浸透体５にて行うことは共通である。
【００２１】
前記液浸透体５は、アルコールなどの清拭液（滅菌消毒剤）による清拭に際して浸透させるまでは未浸透のフェルトからなる。このフェルトとしてはフェルトペン、すなわち、マーキングペン、サインペン、チップペンなどと呼ばれる筆記具のペン芯に用いられる繊維性又は吸液性プラスチックを用いて満足できる。すなわち、フェルトペン系のフェルトは清拭液の浸透性がよく、しかも、ある程度の硬さがあって形態が安定しているので清拭し易く作業性も良好である。勿論、フェルトペン系以外のフェルトであってもよいし、綿棒に使われているような繊維塊であってもよい。
【００２２】
前記液浸透体５の形状は、図２の場合には紡錘状になっている。尤も、図示していないが、丸棒状でも、球状でもその他でもよい。また、この液浸透体５の輪切り断面形状は、図４（ａ）〜（ｃ）の如く、真円、楕円、襞状が好ましい。特に、真円及び楕円は、前記受口７への清拭に適しているし、襞状は表面積が多くなる点で塗り易い点で好ましい。勿論、液浸透体５の形状は、これらに限定されるものではない。
【００２３】
前記封緘用容器３は、清拭具本体２を滅菌状態で収容できるものであれば、その構造は箱状のものでもよいが、図１の如く、プラスチック製袋３′にするときは箱状のものに比して、清拭具本体２を嵩張らずに保管管理できる点で好ましい。すなわち、袋３′であれば、側注現場（ベッド付近の各種置台）や看護師のユニホームのポケットなど手近なところに常に準備（保管）し易いからである。また、プラスチック製袋３′には、その適所に開封用切り込み３″を備えておけば、側注作業に際して簡単に開封（切り裂いて）できるようになる点で好ましい。
【００２４】
前記封緘用容器３は、その全体又は一部が透明材で形成されていると、これに収納した清拭具本体２の形態や収納姿勢などが外から確認できる点で好ましい。また、プラスチック袋３′の素材は、これを開封するまでは清拭具本体２を滅菌状態に保つ性能を有するものであれば特に問わない。
【００２５】
次に、本発明の作用について、図３（ａ）〜（ｃ）に沿って述べる。いま、腎不全患者の治療に用いられる体外血液回路の導液チューブ８や輸血または輸液セットの導液チューブ８の途中に備えられている側注装置６の受口７から患者への施療に必要な薬液などを側注（混注）する場合において、まず、側注現場に備えられているプラスチック袋３′を切り込み３″より開封し、これに収容されていた清拭具本体２をそのキャップ４を摘まんで取り出す。この場合、液浸透体５にはなるべく触れないことが好ましい。
【００２６】
次いで、液浸透体５に、別に用意されているアルコール等の清拭液を含ませる（清拭具本体２がスポイトを備えた特殊形であればスポイトを押し潰して清拭液を含ませる）。しかる後、図３（ａ）の如く、側注装置６の受口７（特に内面）を清拭する。なお、この清拭は、当該側注装置６の受口７に、これより以前の側注に際してキャップが施されているときはそのキャップを取り外すことは当然である。
【００２７】
このようにして、側注装置６の受口７の清拭が終了した後、該受口７に注射器Ｃの先管Ｃ′を、図３（ｂ）の如く、ルアテーパ同士をすり合せ結合する。勿論、該注射器Ｃには予め、患者の治療に必要な薬液等が吸引されている。
【００２８】
しかる後、注射器ＣのプランジャーＣ″を押すと、注射器Ｃから吐出する液圧により弁手段１２が変形して流路を開き、薬液（矢印）などを導液チューブ８へ導き、側注させることとなる。しかして、側注終了によりプランジャーＣ″の押し操作を止めると、前記弁手段１２が素材の弾性により旧状態に即座に戻り、側注後の逆流を確実に防止できるようになっている（図３（ａ）参照）。
【００２９】
次いで、側注装置６の受口７から注射器Ｃの先管Ｃ′を抜き取るとともに、受口７の清拭に使用した液浸透体５をキャップ４より離脱させるとともにキャップ４を、図３（ｃ）の如く、受口７に被冠螺合させる。これにより、側注装置６の受口７は、次の側注までキャップ４により完全に防塵されることとなる。
【産業上の利用可能性】
【００３０】
本願清拭具１は、体外血液回路又は点滴セット等の導液チューブ内に適時施療に必要な薬液などを注射器により側注（混注）するための側注装置の受口に注射器の先管をすり合わせ結合させるに先立って、忙しい看護師をして面倒さがなく、手早くしかも簡単に清拭（滅菌、消毒等）作業ができる有効なものである。
【図面の簡単な説明】
【００３１】
【図１】本願清拭具の一部切欠斜視図である。
【図２】清拭具本体の断面図で、（ａ）は通常形、（ｂ）はスポイト式である。
【図３】清拭具本体の機能を示す断面図で、（ａ）は受口清掃時、（ｂ）は側注時、            （ｃ）は防塵時である。
【図４】液浸透体を輪切りにした断面図で、（ａ）は真円、（ｂ）は楕円、（ｃ）は            襞状である。
【図５】従来の側注装置の断面図である。
【符号の説明】
【００３２】
１  本願清拭具
２  清拭具本体
３  封緘用容器
３′  プラスチック製袋
３″  開封用切り込み
４  キャップ
４ａ  筒部
４ａ′  雌ネジ
４ｂ  頂部
４ｂ′  管部
５  液浸透体
５′  芯部
６  側注装置
７  受口
７′  雄ネジ
８  導液チューブ
８′、８″  切断端
９、９′  接続筒
１０  ハウジング部
１０′  固定手段
１１  管部
１２  弁手段
１３  スポイト型の清拭液溜
１４  連通路
６１  導液チューブ
６１′、６１″導液チューブの切断端
６２、６２  接続部
６３  ハウジング部
６４  受口
６５  弁手段
Ｃ  注射器（シリンジ）
Ｃ′  注射器の先管
Ｃ″  プランジャー
【図１】
2006320430.tif 000003
【図２】
2006320430.tif 000004
【図３】
2006320430.tif 000005
【図４】
2006320430.tif 000006
【図５】
2006320430.tif 000007